(57)【特許請求の範囲】
【請求項１】
ヨークと、このヨークの内側に設けたマグネットと、このマグネットの前記ヨークとの反対側に設けたプレートで磁気回路を構成し、この磁気回路のヨークに結合されたフレームと、このフレームの外周部に結合された振動板と、この振動板に結合されるとともに、その一部が前記磁気回路の磁気ギャップに配置されたボイスコイルと、前記プレートと前記ボイスコイルとの間に設けられた磁性流体と、前記プレートの四隅に設けられた切り欠き部とを備え、前記ヨークの裏面には、前記切り欠き部と相対する部位に設けられ、前記ボイスコイルのセンタリング用の治具の突起部を挿入するための孔が設けられ、前記孔は、前記孔の一部の外周が、前記ボイスコイルの内周と略一致するように配置され、かつ前記突起部の上端部の外周は前記ボイスコイルの内周と略一致し、前記ボイスコイルは、前記孔から挿入された前記突起部のガイドに沿うように設置され、前記センタリング用治具が下方に引き抜かれることにより、前記ボイスコイルが磁気ギャップの中央にセンタリングされ、かつ前記切り欠き部と前記ボイスコイルとの間には、前記振動板と前記プレートと前記ボイスコイルおよび前記磁性流体で囲まれた空間の空気を下方へ流通させる空気流通孔が形成されるスピーカ。
【発明の詳細な説明】
【技術分野】
【０００１】
本発明は、携帯電話などの携帯用端末に使用される薄型のスピーカに関するものである。
【背景技術】
【０００２】
従来のスピーカを図１０、図１１により説明する。図１０は従来のスピーカの長手方向の断面図、図１１は従来のスピーカの短手方向の断面図を示す。磁性材である鉄等からなる底面を有するヨーク１の内側にマグネット２を設け、このマグネット２の上部、即ちこのマグネット２の前記ヨーク１との反対側にプレート３を設け、これらヨーク１とマグネット２とプレート３で磁気ギャップ８を有する磁気回路を構成させている。この磁気回路を構成するヨーク１の外周には、圧入やインサートにより一体に形成され樹脂からなるフレーム４が設けられている。このフレーム４の周縁部に振動板５を結合するとともに、ボイスコイル６を振動板５に結合して、前記磁気回路の磁気ギャップ８に挿入してスピーカを構成している。上記構成によって、外部の信号音源から外部導出用端子を経てボイスコイル６に音声信号を入力し、ボイスコイル６と振動板５を上下動させて発音するものである。
【０００３】
なお、このようなヨーク１やマグネット２からなる磁気回路を用い、フレーム４と一体化したスピーカの構成は、例えば特許文献１にも見られるものである。
【特許文献１】特開平４−３６２９００号公報
【発明の開示】
【発明が解決しようとする課題】
【０００４】
以上のように構成したスピーカは、携帯電話などの小型・薄型・大出力化の中でスピーカ自体の薄型化をすすめると、振動板５自体も薄型の樹脂シートを成形して作られているため、振幅時にローリングの発生により歪みを起こしやすくなり、また、磁気ギャップ８自体も間隔が極めて小さくなることから、ボイスコイル６がヨーク１やプレート３に接触することにより、異音を発生させるという課題を有していた。
【０００５】
そこで本発明ではスピーカの薄型化を実現するとともに、ローリング現象の防止とギャップ不良を低減することを目的とする。
【課題を解決するための手段】
【０００６】
そしてこの目的を達成するために本発明は、ヨークと、このヨークの内側に設けたマグネットと、このマグネットの前記ヨークとの反対側に設けたプレートで磁気回路を構成し、この磁気回路のヨークに結合されたフレームと、このフレームの外周部に結合された振動板と、この振動板に結合されるとともに、その一部が前記磁気回路の磁気ギャップに配置されたボイスコイルと、前記プレートと前記ボイスコイルとの間に設けられた磁性流体と、前記プレートの四隅に設けられた切り欠き部とを備え、前記ヨークの裏面には、前記切り欠き部と相対する部位に設けられ、前記ボイスコイルのセンタリング用の治具の突起を挿入するための孔が設けられ、前記孔は、前記孔の一部の外周が、前記ボイスコイルの内周と略一致するように配置され、かつ前記突起部の上端部の外周は前記ボイスコイルの内周と略一致し、前記ボイスコイルは、前記孔から挿入された前記突起部のガイドに沿うように設置され、前記センタリング用治具が下方に引き抜かれることにより、前記ボイスコイルが磁気ギャップの中央にセンタリングされ、かつ前記切り欠き部と前記ボイスコイルとの間には、前記振動板と前記プレートと前記ボイスコイルおよび前記磁性流体で囲まれた空間の空気を下方へ流通させる空気流通孔が形成されるものである。
【発明の効果】
【０００７】
本発明は、四隅に切り欠き部を有するプレートとボイスコイルとの間に磁性流体を介在させることによって、ローリング現象の防止とギャップ不良の低減を図ると共に、ヨークの裏面で前記プレートの四隅の切り欠き部と相対する部位に設けた治具挿入用の孔から、ボイスコイルのセンタリング用の治具を挿入し、ボイスコイルを磁気ギャップの中央にセンタリングするように配置することができるものである。また、振動板とプレートとボイスコイルと磁性流体で囲まれた空間は、密閉空間とはならず、振動板の振動が制限されることはない。
【発明を実施するための最良の形態】
【０００８】
以下、本発明の実施の形態について、図面を参照しながら説明する。
【０００９】
本発明のスピーカの構成を図１から図５に示す。図１は本発明のスピーカの上面図、図２は本発明のスピーカの下面図、図３は本発明のスピーカの長手方向の構造断面図、図４は本発明のスピーカの短手方向の構造断面図、図５は図３のＡ部分のプレート部を下から見た図である。
【００１０】
図３、図４に示すように、ヨーク１１の内側の上面にマグネット１２を設置し、その上にプレート１３を設けている。そして、このヨーク１１とマグネット１２とプレート１３により磁気回路を構成している。また、ヨーク１１にはフレーム１４が結合されて、スピーカの外郭を構成している。
【００１１】
振動板１５には長方形状のボイスコイル１６が接続され、この振動板１５の外周部はフレーム１４に固定されている。そして、振動板１５に接続されたボイスコイル１６は、ヨーク１１とマグネット１２とプレート１３により構成された磁気回路の磁気ギャップ１８に配置されている。このボイスコイル１６に音声信号を印加することで、磁気ギャップ１８の磁界と反応しボイスコル１６が上下方向に駆動し、この駆動により振動板１５が振動してスピーカから音が発信されるものである。
【００１２】
プレート１３とボイスコイル１６との間には、磁性流体１０を介在させている。このことにより、振幅時のボイスコイル１６のローリング現象を防止して、スピーカの歪みやギャップ不良を低減することができる。
【００１３】
そして、図５に示すように、プレート１３はその四隅に切り欠き部１９を有しており、この切り欠き部１９とボイスコイル１６との間には空気流通孔２０が設けられている。このことにより、振動板１５とプレート１３とボイスコイル１６と磁性流体１０で囲まれた空間の空気は、切り欠き部１９によって設けられた空気流通孔２０を通じて下方に流通させることができるので、密閉空間とはならず、振動板１５の振動が制限されることはない。
【００１４】
さらにこの上に上カバー１７をつけて、スピーカは構成される。図１はこのスピーカを上面から見た図であるが、上カバー１７の振動板１５に相当する部分は、音を放出するための放音孔があいており、その上には、カバーネット２１が設けられている。
【００１５】
また、図２はこのスピーカを下面から見た図であるが、ヨーク１の底面には治具挿入用の孔２２が四ヶ所設けられている。この治具挿入用の孔２２は、前記プレート１３に設けた四隅の切り欠き部１９と相対する部位に設けられるとともに、この治具挿入用の孔２２の一部の外周は、ボイスコイル１６の内周と略一致させている。
【００１６】
次に、この治具挿入用の孔２２を用いて、ボイスコイル１６をセンタリングする方法について説明する。
【００１７】
図６はボイスコイルのセンタリング用治具の上面図、図７は図６のＡ−Ａ’断面図、図８はボイスコイルのセンタリングを説明する図、図９は図８のＢ−Ｂ’断面から見たボイスコイルのセンタリングを説明する図である。
【００１８】
ボイスコイルのセンタリング用治具は、図６、図７に示すように、治具のベース２３の内側底面にボイスコイル１６をセンタリングするための突起部２４を有している。この突起部２４は、図２のヨーク１の底面に設けた治具挿入用の孔２２と相対する位置に設けられている。
【００１９】
このボイスコイルのセンタリング用治具を用いて、ボイスコイル１６をセンタリングする様子を、図８、図９を用いて説明する。図９に示すように、まず、センタリング用治具に、ヨーク１１、マグネット１２、プレート１３、フレーム１４を設置してそれぞれを結合させる。次に、ボイスコイル１６をセンタリング用治具の突起部２４の上端部のガイドに沿わせて設置する。そしてその上から振動板１５を配置して、ボイスコイル１６を振動板１５に、振動板１５をフレーム１４にそれぞれ結合させる。この時、突起部２４の上端部の外周はボイスコイル１６の内周と略一致しているので、このあと、このセンタリング用治具を下方に引き抜くことにより、ボイスコイル１６はヨーク１１とプレート１３にて構成される磁気ギャップの中央にセンタリングされることになる。
【産業上の利用可能性】
【００２０】
以上のように本発明は、プレートの四隅に切り欠き部を設け、ヨークの裏面には前記プレートの四隅の切り欠き部と相対する部位に治具挿入用の孔を設けるとともに、プレートとボイスコイルとの間に磁性流体を介在させた構成のスピーカとすることにより、ボイスコイルを磁気ギャップの中央にセンタリングすることができ、ローリング現象の防止とギャップ不良の低減を図ることができるものである。
【００２１】
この結果、携帯電話等の携帯機器には非常に活用しやすいものとなる。
【図面の簡単な説明】
【００２２】
【図１】本発明のスピーカの上面図
【図２】本発明のスピーカの下面図
【図３】本発明のスピーカの長手方向の構造断面図
【図４】本発明のスピーカの短手方向の構造断面図
【図５】図３のＡ部分のプレート部を下から見た図
【図６】ボイスコイルのセンタリング用治具の上面図
【図７】図６のＡ−Ａ’断面図
【図８】ボイスコイルのセンタリングを説明する図
【図９】図８のＢ−Ｂ’断面から見たボイスコイルのセンタリングを説明する図
【図１０】従来のスピーカの長手方向の構造断面図
【図１１】従来のスピーカの短手方向の構造断面図
【符号の説明】
【００２３】
１０  磁性流体
１１  ヨーク
１２  マグネット
１３  プレート
１４  フレーム
１５  振動板
１６  ボイスコイル
１７  上カバー
１８  磁気ギャップ
１９  切り欠き部
２０  空気流通孔
２１  カバーネット
２２  治具挿入用の孔
２３  ベース
２４  突起部
【図１】
0005194970.tif 000002
【図２】
0005194970.tif 000003
【図３】
0005194970.tif 000004
【図４】
0005194970.tif 000005
【図６】
0005194970.tif 000006
【図７】
0005194970.tif 000007
【図８】
0005194970.tif 000008
【図９】
0005194970.tif 000009
【図１０】
0005194970.tif 000010
【図１１】
0005194970.tif 000011
【図５】
0005194970.tif 000012